(57)【特許請求の範囲】
【請求項１】
画像データを記録媒体から再生する再生手段と、
前記画像データの中から指定した画像データの再生順序を示す前記画像データのアドレスの並びを有する再生グループであって、かつ、１つの再生グループの中に同一の画像データのアドレスを複数有して同一の画像データが複数存在することを許可する再生グループを、前記画像データとは別のファイルとして生成し、前記画像データが記録された記録媒体に記録する再生グループ生成記録手段と、
を備え、
前記再生手段は、前記画像データが記録された記録媒体に記録された前記再生グループに応じて前記画像データを前記記録媒体から再生すること、
を特徴とする再生装置。
【請求項２】
請求項１において、
前記再生グループ生成記録手段は、前記生成された再生グループを、前記画像データが記録された記録媒体に複数記録すること、
を特徴とする再生装置。
【請求項３】
請求項１または２において、
前記記録媒体は、取り外し可能な記録媒体であること、
を特徴とする再生装置。
【請求項４】
請求項１ないし３のいずれかにおいて、
前記再生グループ生成記録手段は、前記記録媒体に記録された前記画像データの縮小画を一覧表示するマルチ画面からの選択に応じて、前記再生グループを生成すること、
を特徴とする再生装置。
【請求項５】
請求項１ないし４のいずれかにおいて、
前記再生手段は、各前記再生グループに属する画像データの縮小画を一覧表示するマルチ画面から前記再生グループが選択されると、前記選択された再生グループに属する前記画像データを前記記録媒体から再生すること、
を特徴とする再生装置。
【請求項６】
請求項５において、
各前記再生グループに属する画像データの縮小画を一覧表示する前記マルチ画面に表示する各前記再生グループに属する画像データの縮小画は、各前記再生グループに属する画像データの中から選択可能であること、
を特徴とする再生装置。
【請求項７】
請求項１ないし６のいずれかにおいて、
前記再生手段は、前記再生グループに属する前記画像データを前記記録媒体から連続して再生すること、
を特徴とする再生装置。
【発明の詳細な説明】
【技術分野】
【０００１】
本発明は動画像をディジタル符号化して記録する電子式動画像カメラの画像データ管理方法に関する。
【背景技術】
【０００２】
動画像の撮影は、古くは光学式フイルムを用いた８ｍｍムービから、磁気記録式ビデオテープを用いたビデオカメラまで、幅広く用いられてきた。特にＶＨＳ−Ｃカセットや８ｍｍビデオカセットを用いたビデオカメラは、家庭用として大変多く普及している。
【発明の開示】
【発明が解決しようとする課題】
【０００３】
これらの動画像撮影カメラが用いた記録媒体は、テープ状媒体であり、撮影した画像は常に撮影順にテープ上に連続して並ぶ。従って撮影した画像は必ずテープ単位で保管され、鑑賞する際には、テープの先頭から時間順に鑑賞する必要があった。これを解決するために、テープの途中にインデックス信号を打ち、インデックス位置までを早送りして必要な場所を探し出す方式も開発されている。この中で、ビクター社製＜ポケットデジタルムービ＞ＤＶ１は、撮影した画像をディジタル信号としてビデオテープに記録し、その再生操作をパソコンから操作行うことで、テープのある時刻からある時刻までの再生画像を一単位として、この単位を複数定義し、テープに記録された順序以外の任意の順序で画像の再生を行う方式を開発、発売している。しかし、この方式もテープという媒体を使っているため、指定の画像を表示するまでに時間がかかるのに加え、テープ上の画像の管理を、テープ先頭から数えた相対時刻でのみ表記するため、記録した画像の管理が面倒であった。指定した複数の単位の画像を一つの番組状の連続画像として、タイトルをつけて保存することも可能だが、これらの操作は撮影後に、撮影した画像を見ながら行う必要があり、ユーザの行う作業は、決して簡便なものではなかった。
【課題を解決するための手段】
【０００４】
上記課題は、特許請求の範囲に記載の発明により解決される。
【発明の効果】
【０００５】
本発明によれば、使いやすい再生装置を提供することが出来る。
【発明を実施するための最良の形態】
【０００６】
以下、本発明による電子式ビデオカメラの画像データ管理方法の実施の形態の具体例を図を用いて説明する。
図１は、本発明による電子式ビデオカメラのブロック図である。カメラ部１００００では、撮影する被写体からの光１００１１は、レンズ１００１２を通してセンサ１００１０に焦点を結ぶ。センサ１００１０に入力された被写体の虚像は、電気信号に変換され、信号処理回路１００２０を通して画像メモリ１００３０に記録される。これらの動作は動画像の場合、例えば１秒間に６０コマの速度で行われ、画像メモリに入った画像データは、逐次圧縮・伸長回路１００４０で、圧縮符号化された動画像データに変換される。圧縮された動画像データ（以下、画像データとする）は、カメラ１００００に装着されたＰＣＭＣＩＡカードタイプのハードディスクドライブ（ＨＤＤ）１０２００に保存される。この際、撮影時の日付、時刻及び撮影したファイルの撮影時間はタイマ１００５１より読み出されて、画像データの付属情報として、共にＨＤＤ１０２００に保存される。これらの動作制御はカメラコントローラ１００５０が行う。ＨＤＤ１０２００に保存されている画像データは、再び圧縮・伸長回路１００４０により復号され、画像メモリに再び戻された後、ビデオ出力信号１００３１として、カメラ外部に出力され、ＴＶ等でその動画像を鑑賞することが出来る。
圧縮符号化された画像データは、カメラからＨＤＤ１０２００を取り外し、パソコンＰＣ１０１００に差し込むことで、画像データをＰＣ１０１００に転送することが出来る。また、ＨＤＤカードの差し替えをせずに、Ｉ／Ｆ１００６０を経由して、ＨＤＤ１０２００に記録された画像データをＰＣ１０１００に転送することも出来る。さらに、ＨＤＤ１０２００を利用せずに、撮影した画像を逐次圧縮しつつＩ／Ｆ１００６０を用いて直接ＰＣに転送することも出来る。ＰＣ１０１００は、ＣＰＵ１０１１０を核としたバス１０１１１に、カメラ１００００との間を接続するＩ／Ｆ１０１２０、メモリ１０１３０、そして画像データを記憶する記憶媒体１０１４０で構成される。
図２は本発明による電子式ビデオカメラにより撮影、符号化された画像データのフォーマットの例を示す説明図である。図２（ａ）に記載した、例えば有名な動画像圧縮方式であるＭＰＥＧ（Ｍoving Ｐicture Ｅxperts Ｇroup）の場合、画像ファイル２００００の先頭に、まずＩ−ＰＩＣＴＵＲＥ（Ｉntra−ＰＩＣＴＵＲＥ）２００１０という、全画面をあらわす静止画像が存在する。そして、その後に時間軸方向に画像が変化する差分情報２００２０が続く。これらを一単位とする画像の長さ２００３０は可変長であり、基本的には予め指定した適当な時間単位で、Ｉ−ＰＩＣＴＵＲＥを入れることで、差分による誤差の拡大をリセットし、それ以外に極端な画像変化（カメラのパンなど）により差分情報では動画像の符号化の効率が悪くなる場合は、新たなＩ−ＰＩＣＴＵＲＥを入れる。図２（
ｂ）はＩ−ＰＩＣＴＵＲＥ＝Ｉと、差分データＰ−ＰＩＣＴＵＲＥ（Ｐre−ＰＩＣＴＵＲＥ）＝Ｐとの関係をさらに詳細に示す説明図である。各Ｉの左側の縦棒は、動画像データの最小一単位の切れ目を表わし、Ｉ２００４０とＰ２００５０を用いて、Ｐのフレームに相当する全画面情報を補間生成する。そしてさらにそれと、Ｐ２００５１を用いて、次のＰのフレームに相当する全画面情報を生成する。従ってこのフォーマットで記述される動画像ファイルは、Ｉ−ＰＩＣＴＵＲＥの先頭位置を境目として分割が可能である。
図３は従来のビデオテープを用いたビデオカメラにより撮影を行った動画像のイメージの例を示す説明図である。磁気テープを用いたビデオカメラは、撮影した画像の記録は必ず時系列順に並ぶ。時間軸３００５０に沿って、撮影した画像３００００は並んでおり、本図においてそれぞれの四角い箱は、ワンショットの撮影画像（撮影ボタンＳＴＡＲＴ−ＳＴＯＰ単位のカット）を表わすものとする。このビデオテープは信州に登山旅行をしたときのイメージを示し、最初の五つのカットは八方尾根への登山に於いて、登山第１日目に撮影した画像の集合３００１０を示す。次の、７カットは登山第２日目に撮影した画像の集合３００２０を示し、次の６カットは、下山後の安曇野近辺の散策時に撮影した画像の集合３００３０を示し、最後の４カットは帰路のドライブ中に撮影した画像の集合３００４０を示す。これらのカットは、磁気テープ上で図のようにシーケンシャルに並んでおり、例えばテープが完全に巻き戻されているときに、安曇野散策の場面を見たいときは、テープを早送りして安曇野散策の画像の集合の先頭に再生ポインタを持っていく必要がある。ビデオカメラによっては、この集合の先頭にインデックスを入れることが可能であり、例えば先頭から２番目のインデックスという指定をすることで、安曇野散策の画像を鑑賞することが出来る。しかし、撮影した特定の場面を見るためには、必ずテープの早送りや巻き戻し等の操作を行う必要があり、操作の煩雑さと時間がかかるので、磁気テープを用いて撮影したビデオ画像の鑑賞における問題点である。このため大抵の場合、撮影したビデオ画像は必ず最初から最後まで連続して見るという使い方をすることが多い。
図４は本発明による電子式ビデオカメラが撮影した画像データの、ＨＤＤ上の記録イメージを示した説明図である。４００００は、ＨＤＤの内部イメージであり、それぞれの四角い枠は、ＨＤＤのデータの読み書きアクセスの単位であるクラスタを示す。ここで図３における集合３００１０に相当する画像データは、ＨＤＤの中で５個所に散らばって記載されている。具体的には４００２０〜４００２４までの５箇所であり、ＨＤＤの機能上新たなデータは、ＨＤＤの中で空いている領域に記載されるため、一つの集合の画像データが連続して書き込まれるとは限らない。しかし、ＨＤＤのランダムアクセス性により、これらのデータは基本的にほぼ同じ時間で、どのデータに対してもアクセスを行うことが出来、またその時間も短いので、ユーザから見ると、記録した画像データはいかなる順番で見ても、瞬時に指定の画像データが呼び出されて、鑑賞することが可能になる。
図５は本発明による電子式ビデオカメラを用いた画像データの管理方法を示した説明図である。画像データ５００００は、それぞれの四角い枠が撮影した画像データの一つのカットを示し、図上で並んでいる順番は図３と同じであるが、各画像データの実体は図４に示すＨＤＤに記載されているので、本図に於いて横に並んでいる各画像データは、そのどのデータに対しても略同じ時間でアクセスして再生することが出来る。
ここで、最初の４個、次の５個、次の５個、そして最後の３個と、画像データの集合をグループ分けする。この分類は図３の説明と同一であるが、ここでは画像データをＨＤＤ上で保存しているので、例えば３番目のグループである安曇野散策の画像を鑑賞したいときも、テープの早送りを待つ必要がなく、極めて短時間で安曇野散策のグループの画像を呼び出して鑑賞することが出来る。
さらに本発明で、連続した画像データをまとめたグループの他に、安曇野旅行ダイジェストビデオ５００５０というグループを定義することが出来る。これは画像データが図４に示すＨＤＤに入っていることにより実現可能なものだが、たくさんある画像データの中から指定したものをランダムな順番で選び出して、それをグループ化して一つの番組として定義することが可能である。
図６は画像データをグループ化するにあたり、撮影時に自動的にグループ化を行う、第１の実施例の方法を示した説明図である。四角い枠６００００は撮影した画像の各カットであり、時刻６００４０の順に撮影したものである。本実施例では、撮影した各カットの撮影時刻の差に注目して、一定時間以内の間隔で撮影したカットは同一グループに所属させるというアルゴリズムを持つ。例えば撮影のインターバルが３０分以上経過した場合、別なグループに所属させるとすると、カット６００１１とカット６００１３は、その間の時間６００１２が３０分以内なので、同一のグループであるグループ１（６００１０）に所属させるが、カット６００１３と、カット６００２１の間の時間６００５０は、３０分を越えているので、カット６００２１を撮影した時点で、グループ２（６００２０）を新規作成して、カット６００２１はそのグループに所属させる。同様に３０分以上の間隔（６００６０）があいたカットは、グループ３（６００３０）を新設し、そこに所属させる。この方法により、利用者が撮影時に撮影する画像を分類する必要なく、自動的にグループ分けを行うことが出来る。
図７は画像データをグループ化するにあたり、撮影時に自動的にグループ化を行う、第２の実施例の方法を示した説明図である。四角い枠７００１０は撮影した画像の各カットである。本実施例では、各カットを撮影した場所に注目し、ＰＨＳ（Ｐersonal Ｈandyphone Ｓystem）の基地局番号を利用して、略同一の場所で撮影したカットは同一グループに所属させるというアルゴリズムを持つ。ここでＰＨＳとは、３００ｍ程度の間隔で設置された基地局を利用して、通常の携帯電話に比べて小さな電力で無線電話を利用することが出来るシステムであり、通話時にＰＨＳの所在する場所に近い基地局と接続を行い、この際に基地局固有の番号をＰＨＳは得ることが出来る。システム構成は図示しないが、例えば、図１で、サブノート等の可搬型ＰＣにＰＨＳを接続して、撮影した画像データをそのままＰＨＳにより遠隔地に転送するようなシステムで、ＰＣがＰＨＳから受信した基地局番号を用いてもよく、また、ＰＣの機能を有する電子カメラに、ＰＨＳを接続して使用してもよい。ここでＰＨＳの基地局番号から、電子カメラの現在位置を住所や座標で表現する必要はなく、ある特定の基地局の近くに属するということが判断出来ればよい。本図でＰＨＳの基地局番号がＡ、Ｂ、Ｃの三つの場所で撮影を行ったとする。基地局番号Ａの近傍で撮影した画像データは、グループ１（７００２０）に所属させ、基地局番号Ｂの近傍で撮影した画像データは、グループ２（７００３０）に所属させ、そして基地局番号Ｃの近傍で撮影した画像データは、グループ３（７００４０）に所属させる。図６と同様に、新たなＰＨＳ番号を認識したときに、新規のグループを作成して、そこに撮影した画像データを所属させることで、自動的に場所にリンクした画像データのグループ分けが出来る。場所の検出はＧＰＳ（Ｇroval Ｐositioning Ｓystem）等の位置情報検出方式を用いて行ってもよいが、本発明によるＰＨＳの基地局を用いた方式は、ＧＰＳの受信が出来ない地下街等でも使用することが可能となる。ここで、本実施例はＰＨＳを利用する例として説明したが、無線通信機器を用いて、その通信機器の近傍にある基地局のＩＤを知ることが出来る通信システムであれば、同様な利用が可能である。
図８は画像データをグループ化するにあたり、撮影時に自動的にグループ化を行う、第３の実施例の方法を示した説明図である。図８（ａ）で、四角い枠８００００は撮影した画像の各カットであり、時刻８００１０の順に撮影したものである。本実施例では、撮影する際にユーザが、新しいグループの定義を行い、撮影したカットは時間順に指定したグループに所属させるというアルゴリズムを持つ。カメラにはオープン−クローズ（ＯＰＥＮ−ＣｌＯＳＥ）を指定するスイッチがあり、スイッチをオープンに入れてから、クローズするまでに撮影した複数のカットを、一つのグループに所属させる。具体的には、最初のオープン−クローズの間（８００２０）に撮影されたカットは、すべてグループ１（８００２１）に所属し、次のオープン−クローズの間（８００３０）に撮影されたカットは、すべてグループ２（８００３１）に所属し、次のオープン−クローズの間（８００４０）に撮影されたカットは、すべてグループ３（８００４１）に所属する。ユーザがスイッチを入れて、撮影を開始し、そのグループに所属する撮影が終わったらスイッチを切るという単純な手段で、撮影したカットのグループ分けが行えるため、ユーザの意志を反映し、且つ予めグループ名を選択するという煩雑な手順を踏むことなく、簡便な撮影した画像データの管理が行える。図８（ｂ）は、オープン−クローズスイッチの具体的な形状の例である。電子式ビデオカメラ８００５０の横にスイッチ８００５１があり、これがＯｐｅｎ８００６０、Ｃｌｏｓｅ８００６１のいずれかに切り替わることで、スイッチの操作を行う。また、カメラの撮影スイッチ８００７０の安全カバー８００７１を用いてこのスイッチを構成すると、カバーを開けたところで新規のグループが作成され、そこでいくつかのカットを撮影して、撮影終了後に例えば他の場所に移動するためにカメラをしまうときに、安全カバーを閉じることで、グループのクローズが行える。また、クローズせずにカメラのメインスイッチを切断した場合には、自動的にグループのクローズ処理が行われる手順が動作されるか、次回にメインスイッチを入れたときに、前回使用していたグループのクローズ処理を行うか、いずれかの方法をとる。さらに、オープンした時点及びクローズした時点の日付、時刻をグループの付属情報として記録し、後の画像の鑑賞等のグループへのアクセスの際、グループを選択するために必要な情報として利用する。
図９は既に撮影したカットを、簡単にグループ分けするための手段を示した説明図である。四角い枠９００００は撮影した画像の各カットであり、時刻９００１０の順に撮影したものである。本実施例では、ユーザが撮影した時間範囲を指定することで、各カットを指定したグループに所属させるというアルゴリズムを持つ。撮影したカットには、タイムスタンプをつけておき、そのカットが生成された時間をいつでも参照できるようにしておく。グループ１は９：００から１１：３０までの間に撮影されたカットを集めたもので、グループ２は１１：３０から１３：５０、グループ３は１３：５０以降に撮影されたカットを集めたものである。この操作は撮影が終わってからするものであり、カメラの上で行ってもよいし、図１に示したＰＣに転送した後、ＰＣ上で行ってもよい。また、撮影前でも予めスケジュールが分っていれば、事前に時刻範囲を指定したグループを定義して、撮影したカットが自動的にそのグループに所属するような方法も可能である。また、時間帯の指定も、開始時刻及び終了時刻だけではなく、ある時刻以前や、ある時刻以降という指定も可能である。
図１０は複数の撮影カットから、ランダムに指定のカットを選び出してグループを生成する方法を示した説明図である。１０００００は、撮影したすべてのカットを同時に表示するマルチ画面である。各カットの一番最初のＩ−ＰＩＣＴＵＲＥを静止画表示してもよいし、ＰＬＡＹボタンを押す度に各カットの中のＩ−ＰＩＣＴＵＲＥを次々に表示する形式でもよい。早送りボタンと巻き戻しボタンをこの機能に利用すれば、表示するＩ−ＰＩＣＴＵＲＥを進めたり戻したりという操作も可能である。このように表示した各カットから、ダイジェストとなるカットを選択して、一つのグループを作成することが出来る。この時のカットの選択は、マルチ画面１０００００上に表示した選択枠１０００１０を、カメラ上に設置した図示しない十字カーソルや左右矢印のカーソル等で移動して、選択するという手順を取ればよい。
図１１は、画像の再生時に、グループの選択をする方法を示した説明図である。撮影した画像データはグループに分類され、利用者はグループの選択をするだけで、グループ内の画像データの再生が出来、各画像データファイルの存在を意識する必要はない。図１１（ａ）は、各グループに入っている画像をマルチ画面表示して、その中から指定のグループを選択する方法を示したものである。画面１１００００には、本図に於いて１６画面のマルチ画面で、各グループの先頭に位置する画像の最初のＩ−ＰＩＣＴＵＲＥが静止画表示されている。これを選択枠１１００１０を、図示しない十字カーソルキーや矢印キーで移動し、選択キーで選択することで、グループに登録された画像データを連続再生することが出来る。マルチ画面に表示する画像は、最初のＩ−ＰＩＣＴＵＲＥの静止画表示の他、例えば十字カーソルの上下カーソルで、各グループ内の画像ファイルのＩ−ＰＩＣＴＵＲＥをすべてコマ送りで見せて、左右カーソルで選択枠１１００１０を移動して選択してもよい。図１１（ｂ）は、グループの選択を、画像の視認によらず、撮影した日付、時刻から選択する方法を示したものである。画面１１００２０には、グループのリストが表示されており、そのフォーマットは、グループのシーケンシャル番号に、グループが作成もしくはクローズされた日付１１００２１と時刻１１００２２、入っている画像データの総再生時間１１００２３が、分：秒の単位で表示される。図示しないカーソルキーで、選択枠１１００２４を移動して選択ボタンでグループの選択をすることで、指定したグループ内の画像データを自動的に連続再生させることが出来る。
図１２は本発明による画像ファイルのグループ化の具体的な方法を示した説明図である。図１２（ａ）で、画像ファイルはＦＩＬＥ０００１．ＭＰＧ（１２００００）、ＦＩＬＥ０００２．ＭＰＧ（１２００１０）、ＦＩＬＥ０１２１．ＭＰＧ（１２００２０）と、１２１個のファイルが用意されており、図に示しているのは、各ファイルの属性データイメージである。ファイル名に撮影日、撮影開始時刻に、そのファイルの長さを時間単位で、そしてその他の情報を添付している。これらの情報が画像データ実体に付加されてＨＤＤの中に保存されている。図１２（ｂ）は、グループを定義するデータであり、これ自体がファイルであってもよく、カメラのプログラム自体が有するデータであってもよい。グループ１（１２００３０）には、ＦＩＬＥ０００２．ＭＰＧ、ＦＩＬＥ００１４．ＭＰＧ、ＦＩＬＥ０００７．ＭＰＧ、そしてＦＩＬＥ０００２．ＭＰＧが所属しており、このデータにはそれぞれのアドレス１２００４０が記載されている。このアドレスが示す画像ファイルは、順番が変わっても、重複してもよい。また、アドレスはＨＤＤの中の物理アドレスを直接指し示してもよいが、ＨＤＤのファイルシステムを管理する情報に従って、ファイル名で指示する形式でもよい。この場合グループの中のデータは、データが存在する領域のグループの所在地からの相対アドレス及びファイル名だけでよい。
図１３は、画像ファイルの分割と、分割ファイルを用いたグループ分けの方法を示した説明図である。例えばＭＰＥＧフォーマットの画像ファイルは、図２で示したように、Ｉ−ＰＩＣＴＵＲＥの単位で分割が可能である。ここでは、撮影した一つの画像ファイルを、Ｉ−ＰＩＣＴＵＲの単位でさらに細かいシーンに分割し、それぞれ独立のファイルとして取り扱うことで、より細かいグループ分けが可能となる。元となる画像ファイルＦＩＬＥ０１００．ＭＰＧ（１３００００）は、そのＩ−ＰＩＣＴＵＲＥで分離される単位で、ＦＩＬＥ０１０１．ＭＰＧ（１３００１０）、ＦＩＬＥ０１０２．ＭＰＧ（１３００２０）、ＦＩＬＥ０１０７．ＭＰＧ（１３００３０）のファイルに分割される。それぞれのファイルは、その属性データとして、撮影日付、時刻、長さ、そして元になるファイル名が記述される。Ｉ−ＰＩＣＴＵＲＥの単位で画像ファイルを分割することで、実際の画像は、通常の定期的なＩ−ＰＩＣＴＵＲＥの他に、極端なパンを行った後に入っているＩ−ＰＩＣＴＵＲＥによる分割が行えるため、撮影した画像でカメラが極端に振り回された場面を外してグループの生成に利用することが出来、実際には編集作業と同じ効果を得ることが出来る。これらのファイルを用いて生成したグループは、図１３（ｂ）におけるグループ１（１３００４０）として表記される。内容は図１２（ｂ）と同様であり、詳しい説明は割愛する。ここで、撮影した画像のグループを他の人に見せるためにコピーをする場合、グループ１をコピーすると、自動的にグループ１に属する画像本体（１３００５０）が一緒にコピーされる。その中には、グループ１で定義した画像ファイル本体のみが入っており、分割前の元画像データではない。コピーの際に必要最小限の画像データのみを渡すために、省容量化、守秘を行うことが出来る。
図１４は、図１３とは逆に複数の画像ファイルの統合と、その中の部分部分を切り出してグループ分けを行う方法を示した説明図である。図１４（ａ）に於いて普通に投影された画像データは、そのカット別にＦＩＬＥ０００１．ＭＰＧ（１４００００）、ＦＩＬＥ０００２．ＭＰＧ（１４００１０）、ＦＩＬＥ０１２１．ＭＰＧ（１４００２０）と、１２１個のカットがここでは準備されている。これを統合して、ＦＩＬＥ−ＡＬＬ．ＭＰＧ（１４００３０）を生成する。この作業は、１２１個の元となる画像ファイルを、縦に並べて一つのファイルとしたものである。その際、付加情報として、元画像ファイルの先頭位置を示すアドレス情報を、各々の元画像ファイル別に持つ。出来上がった画像ファイル１４００３０は、一つの大きな画像データであるが、その中は複数の画像ファイルに区切ることが出来る。図１４（ｂ）にこの画像ファイル１４００３０を用いてグループを構成した例を示す。グループ１（１４００４０）には、画像ファイル１４００３０の中の一部の画像を利用したグループが構成されている。図１３の例と同様にこのグループを他の人に見せるためコピーをする場合、グループ１をコピーすると、自動的に画像ファイル１４００３０が一緒にコピーされる。その中には、グループ１で定義した画像ファイル以外の画像データも入っており、コピーした後も、グループ１の編集や、新しいグループを生成したときに、グループ１には属していないが最初に撮影したすべての画像データを利用することが出来る。
【図面の簡単な説明】
【０００７】
【図１】本発明による電子式ビデオカメラのブロック図。
【図２】本発明による電子式ビデオカメラにより撮影、符号化された画像データのフォーマットの例を示す説明図。
【図３】従来のビデオテープを用いたビデオカメラにより撮影を行った動画像のイメージの例を示す説明図。
【図４】本発明による電子式ビデオカメラが撮影した画像データの、ＨＤＤ上の記録イメージを示した説明図。
【図５】本発明による電子式ビデオカメラを用いた、画像データの管理方法を示した説明図。
【図６】画像データをグループ化するにあたり、撮影時に自動的にグループ化を行う、第１の実施例の方法を示した説明図。
【図７】画像データをグループ化するにあたり、撮影時に自動的にグループ化を行う、第２の実施例の方法を示した説明図。
【図８】画像データをグループ化するにあたり、撮影時に自動的にグループ化を行う、第３の実施例の方法を示した説明図。
【図９】既に撮影したカットを、簡単にグループ分けするための手段を示した説明図。
【図１０】複数の撮影カットから、ランダムに指定のカットを選び出してグループを生成する方法を示した説明図。
【図１１】画像の再生時に、グループの選択をする方法を示した説明図。
【図１２】本発明による画像ファイルのグループ化の具体的な方法を示した説明図。
【図１３】画像ファイルの分割と、分割ファイルを用いたグループ分けの方法を示した説明図。
【図１４】複数画像ファイルの統合と、その中の部分部分を切り出してグループ分けを行う方法を示した説明図。
【符号の説明】
【０００８】
１００００…カメラ、
１００４０…圧縮・伸長回路、
１０２００…ＰＣＭＣＩＡ−ＨＤＤカード、
２００１０…Ｉ−ＰＩＣＴＵＲＥ、
６００００…画像ファイル、
６００１０…グループ、
１０００００…マルチ画面。
【図１】
0004719498.tif 000002
【図２】
0004719498.tif 000003
【図３】
0004719498.tif 000004
【図４】
0004719498.tif 000005
【図５】
0004719498.tif 000006
【図６】
0004719498.tif 000007
【図７】
0004719498.tif 000008
【図８】
0004719498.tif 000009
【図９】
0004719498.tif 000010
【図１０】
0004719498.tif 000011
【図１１】
0004719498.tif 000012
【図１２】
0004719498.tif 000013
【図１３】
0004719498.tif 000014
【図１４】
0004719498.tif 000015